(57)【要約】  聴診音を分析することにより、患者の生理的状態を診断する際に医療専門家を支援する技法について説明している。例えば、データ分析システムは、音声認識及び主成分分析（例えば、特異値分解）を既知の生理的状態と関連する聴診音に対して適用することにより、多次元空間内に１つ又は複数の疾病領域の組を定義している。電子聴診器又はＰＤＡ（Personal Digital Assistant）などの診断装置は、データ分析システムからの構成データを適用することにより、患者と関連する聴診音を表す１つ又は複数のベクトルを多次元空間内に生成する。診断装置は、多次元空間内の疾病領域との関係におけるベクトルの向きに基づいて、患者の生理的状態と関連する診断メッセージを出力する。
2008528124.tif 000002
【特許請求の範囲】
【請求項１】
既知の生理的状態と関連する聴診音に対して音声認識を適用することにより、音声認識係数を生成するステップと、
前記係数を多次元空間内に定義された１つ又は複数の疾病領域の組に対してマッピングするステップと、
を有する方法。
【請求項２】
音声認識を適用するステップは、
前記聴診音のそれぞれを複数のサブ帯域に分割するステップと、
前記サブ帯域のメル−ケプストラム係数を演算するステップと、
を有する請求項１記載の方法。
【請求項３】
前記係数と前記多次元空間内に定義された前記疾病領域の関数として前記患者の生理的状態と関連する診断メッセージを出力するステップを更に有する請求項１記載の方法。
【請求項４】
診断メッセージを出力するステップは、
前記多次元空間の前記疾病領域の中の１つを選択するステップと、
前記選択結果に基づいて前記診断メッセージを出力するステップと、
を有する請求項３記載の方法。
【請求項５】
前記疾病領域の中の１つを選択するステップは、
前記係数のベクトルから前記多次元空間内において複数のベクトルを演算するステップと、
前記ベクトルのいずれが、その個別の疾病領域から最小距離を具備しているのかを識別するステップと、
前記識別されたベクトルと関連する前記疾病領域を選択するステップと、
を有する請求項４記載の方法。
【請求項６】
前記多次元空間内のそれぞれの疾病領域は、前記個別の生理的状態のインジケータとして識別された前記既知の生理的状態と関連する前記聴診音の特性によって定義されている請求項１記載の方法。
【請求項７】
診断メッセージを出力するステップは、異常な生理的状態が検出されたかどうかを通知する合格／不合格メッセージを出力するステップを有する請求項３記載の方法。
【請求項８】
診断メッセージを出力するステップは、患者が現在経験している１つ又は複数の特定の病状を識別する診断メッセージを出力するステップを有する請求項３記載の方法。
【請求項９】
診断メッセージを出力するステップは、前記患者が前記生理的状態の中の１つ又は複数のものに陥りやすいことを通知する前記診断メッセージを出力するステップを有する請求項３記載の方法。
【請求項１０】
診断メッセージを出力するステップは、ユーザー構成が可能なモードに基づいて前記診断メッセージのメッセージタイプを選択するステップを有する請求項３記載の方法。
【請求項１１】
前記メッセージタイプは、合格／不合格メッセージタイプ、示唆診断メッセージタイプ、及び予報的な診断メッセージタイプの中の１つを有する請求項３記載の方法。
【請求項１２】
前記多次元空間内の前記ベクトルの少なくとも１つと正常な領域から算出された距離に基づいて重大性インジケータを出力するステップを更に有する請求項５記載の方法。
【請求項１３】
聴診音をマッピングするステップは、
前記係数を保存する行列の組を生成するステップであって、それぞれの行列は、前記生理的状態の中の異なるものと関連付けられている、ステップと、
前記行列のそれぞれに対して特異値分解（Singular Value Decomposition：ＳＶＤ）を適用することにより、前記多次元空間内の前記疾病領域を定義する部分行列の個別の組を演算するステップと、
を有する請求項１記載の方法。
【請求項１４】
行列の組を生成するステップは、
フィルタリングされていない未加工のフォーマットにおいてデジタル化表現を保存するべく前記行列の組を生成するステップを有する請求項１３記載の方法。
【請求項１５】
診断装置用の構成データとして使用するべく、前記部分行列の中の１つ又は複数のものの少なくとも一部をデータベース内に保存するステップを更に有する請求項１３記載の方法。
【請求項１６】
前記行列の組に対してＳＶＤを適用することによって生成された構成データに従って診断装置をプログラムするステップであって、前記構成データは、前記異なる生理的状態と関連する前記部分行列の中の少なくとも１つを含んでいる、ステップと、
前記診断装置によって前記構成データを前記患者と関連する前記聴診音のデジタル化表現に対して適用することにより、前記多次元空間内に前記ベクトルを生成するステップと、
を更に有する請求項１３記載の方法。
【請求項１７】
ＳＶＤを適用するステップは、ＳＶＤを適用することにより、前記行列の組からなる行列Ａを３つの部分行列の積に次のように分解するステップを有しており、
Ａ＝ＵＤＶT
ここで、Ｕは、直交列を有するＮｘＭの行列であり、Ｄは、ＭｘＭの非負対角行列であり、Ｖは、ＭｘＭの直交行列である請求項１３記載の方法。
【請求項１８】
前記演算されたＵ行列のそれぞれに対して前記その他のＵ行列をペアとして乗算することにより、行列Ｔの組を演算するステップと、
前記結果的に得られた行列Ｔのそれぞれに対してＳＶＤを実行することにより、それぞれの行列Ｔを部分行列の個別の組に分解するステップと、
前記行列Ｔのそれぞれから生成された前記部分行列を適用することにより、前記患者の診断において使用される前記Ｕ行列の部分を識別するステップと、
を更に有する請求項１７記載の方法。
【請求項１９】
前記行列Ｔのそれぞれから生成された前記部分行列を適用するステップは、前記行列Ｔのそれぞれから生成された前記部分行列を適用することにより、前記多次元空間内の前記個別の疾病領域の直交性を極大化する前記Ｕ行列の部分を識別するステップを有する請求項１８記載の方法。
【請求項２０】
前記行列の組から個別の平均ベクトルを演算するステップであって、それぞれの平均ベクトルは、前記個別の生理的状態と関連する前記聴診音の前記デジタル化表現の平均を表している、ステップと、
前記診断装置によって前記平均ベクトル及び前記構成データを前記患者と関連する前記聴診音に対して適用することにより、前記多次元空間内に前記ベクトルの組を生成するステップと、
を更に有する請求項１３記載の方法。
【請求項２１】
前記診断装置によって前記平均ベクトル及び前記構成データを適用するステップは、
前記患者と関連する前記聴診音を表すベクトルから前記対応する平均ベクトルを減算することにより、差分ベクトルの組を生成するステップであって、それぞれの差分ベクトルは、前記多次元空間内の前記疾病領域の中の異なるものに対応している、ステップと、
前記構成データの前記部分行列を前記差分ベクトルに対して適用することにより、前記患者と関連する前記聴診音を表す前記ベクトル表現を生成するステップと、
を有する請求項２０記載の方法。
【請求項２２】
前記構成データの前記部分行列を適用するステップは、前記差分ベクトルに対して前記Ｕ行列の中の対応するものを乗算することにより、前記患者に関連する前記聴診音を表す前記ベクトルの中の個別のものを生成するステップを有する請求項２１記載の方法。
【請求項２３】
聴診音をマッピングするステップは、主成分分析を前記音声認識係数に対して適用することにより、前記多次元空間内の前記疾病領域及びそれらの境界を定義するステップを有する請求項１記載の方法。
【請求項２４】
聴診音をマッピングするステップは、前記音声認識係数をニューラルネットワークに対して適用することにより、前記多次元空間内の前記疾病領域及びそれらの境界を定義するステップを有する請求項１記載の方法。
【請求項２５】
既知の生理的状態と関連する前記聴診音のそれぞれは、複数の心臓サイクルにわたって記録された音響のデジタル化表現を有する請求項１記載の方法。
【請求項２６】
前記生理的状態は、正常な生理的状態、大動脈弁閉鎖不全、大動脈弁狭窄、三尖弁逆流、三尖弁狭窄、肺動脈弁狭窄、肺動脈弁逆流、僧帽弁逆流、大動脈瘤、頸動脈狭窄、及び僧帽弁狭窄の１つ又は複数のものを含んでいる請求項１記載の方法。
【請求項２７】
第１装置を使用して前記患者と関連する前記聴診音をキャプチャするステップと、
前記キャプチャされた聴診音のデジタル化表現を前記第１装置から第２装置に伝達するステップと、
前記第２装置によって前記デジタル化表現を分析することにより、前記係数を生成するステップと、
前記第２装置によって前記診断メッセージを出力するステップと、
を更に有する請求項１記載の方法。
【請求項２８】
前記第１装置は、電子聴診器を有する請求項２７記載の方法。
【請求項２９】
前記第２装置は、モバイル演算装置、ＰＤＡ（Personal Digital Assistant）、及び心エコー図分析器の中の１つを有する請求項２７記載の方法。
【請求項３０】
電子聴診器を使用して前記患者と関連する前記聴診音をキャプチャするステップと、
前記電子聴診器によって前記デジタル化表現を分析することにより、前記係数を生成するステップと、
前記診断メッセージを前記電子聴診器のディスプレイに出力するステップと、
を更に有する請求項１記載の方法。
【請求項３１】
前記生理的状態は、心臓病の状態を有しており、前記患者と関連する前記聴診音は、心音を有する請求項１記載の方法。
【請求項３２】
前記患者と関連する前記聴診音は、肺の音響を有する請求項１記載の方法。
【請求項３３】
既知の生理的状態と関連する聴診音のデジタル化表現に対して音声認識を適用することによって生成されたデータを保存する媒体と、
患者と関連する聴診音を表すデジタル化表現に対して前記構成データを適用することにより、前記生理的状態の中の１つを選択する制御ユニットと、
を有し、
前記制御ユニットは、前記生理的状態の中の前記選択されたものについて通知する診断メッセージを出力する診断装置。
【請求項３４】
前記制御ユニットは、前記構成データを前記患者と関連する前記聴診音を表す前記デジタル化表現に適用することにより、定義された疾病領域の組を具備した多次元空間内に１つ又は複数のベクトルの組を生成し、
前記制御ユニットは、前記多次元空間内の前記疾病領域との関係における前記ベクトルの向きに基づいて前記生理的状態の中の１つを選択する請求項３３記載の診断装置。
【請求項３５】
前記ベクトルのそれぞれは、前記疾病領域の中の個別の１つに対応しており、前記制御ユニットは、前記ベクトルのそれぞれと前記個別の疾病領域の間の距離の関数として前記前記疾病領域の中の１つを選択する請求項３４記載の診断装置。
【請求項３６】
前記構成データは、前記既知の生理的状態と関連する前記聴診音の前記デジタル化表現に対してＳＶＤを適用することによって生成された部分行列を有する請求項３４記載の診断装置。
【請求項３７】
前記診断装置は、モバイル演算装置、ＰＤＡ（Personal Digital Assistant）、心エコー図分析器、及び電子聴診器の中の１つを有する請求項３３記載の診断装置。
【請求項３８】
既知の生理的状態と関連する電子的な記録のデジタル化表現に対して音声認識及び主成分分析（Principle Component Analysis：ＰＣＡ）を適用することにより、前記聴診音を多次元空間内の１つ又は複数の疾病領域の組に対してマッピングする分析モジュールと、
分析モジュールによって生成されたデータを保存するデータベースと、
を有するデータ分析システム。
【請求項３９】
前記電子的な記録は、心エコー図を有する請求項３８記載のデータ分析システム。
【請求項４０】
前記電子的な記録は、聴診音のデジタル化表現を有する請求項３８記載のデータ分析システム。
【請求項４１】
前記分析モジュールは、前記生理的状態と関連する前記聴診音の前記デジタル化表現を保存する行列の組を生成し、この場合に、それぞれの行列は、前記生理的状態の中の異なるものと関連付けられていると共に、前記個別の生理的状態と関連する前記聴診音の前記デジタル化された表現を保存しており、
前記分析モジュールは、前記行列のそれぞれに対してＰＣＡを適用することにより、前記行列を、前記多次元空間内の前記疾病領域を定義する部分行列の個別の組に分解し、
前記分析モジュールは、前記疾病領域のそれぞれ用の前記部分行列の中の少なくとも１つを前記データベース内に保存する請求項３８記載のデータ分析システム。
【請求項４２】
構成データを患者と関連する聴診音を表すデジタル化表現に対して適用することにより、生理的状態の組の中の１つを選択するステップであって、前記構成は、音声認識及び主成分分析（Principle Component Analysis：ＰＣＡ）を使用することにより、前記聴診音を多次元空間内の１つ又は複数の疾病領域の組に対してマッピングする、ステップと、
前記生理的状態の中の前記選択されたものについて通知する診断メッセージを出力するステップと、
をプロセッサに実行させる命令を有するコンピュータ可読媒体。
【請求項４３】
前記構成データを前記患者と関連する前記聴診音を表す前記デジタル化表現に対して適用することにより、前記多次元空間内に１つ又は複数のベクトルの組を生成するステップと、
前記多次元空間内の前記疾病領域との関係における前記ベクトルの向きの関数として前記多次元空間の前記疾病領域の中の１つを選択するステップと、
前記選択結果に基づいて前記診断メッセージを出力するステップと、
をプロセッサに実行させる命令を更に有する請求項４２記載のコンピュータ可読媒体。
【発明の詳細な説明】
【技術分野】
【０００１】
本発明は、一般に、医療機器に関し、特に、聴診音を分析する電子装置に関する。
【背景技術】
【０００２】
医師及びその他の医療専門家は、長い間、聴診音に依存することにより、生理的状態の検出及び診断を支援してきた。例えば、医師は、聴診器を利用して心音を監視することにより、心臓病を検出可能である。その他の例として、医師は、患者の肺又は腹部と関連した音響を監視することにより、呼吸器及び胃腸の状態を検出可能である。
【０００３】
電子的に記録された聴診音に対してアルゴリズムを適用する自動化された装置が開発されている。一例が自動血圧監視装置である。その他の例には、聴診音の分析に基づいて生理的状態を自動検出するべく試みる分析システムが含まれている。例えば、聴診音を分析すると共に、自動診断又は示唆診断（suggested diagnosis）を提供するための１つの可能なメカニズムとして、人工ニューラルネットワークが議論されている。
【発明の開示】
【発明が解決しようとする課題】
【０００４】
これらの従来の技法を使用した場合には、聴診音に基づいて特定の生理学的状態の自動診断を任意の精度レベルにおいて提供することがしばしば困難である。又、従来の技法は、多くの場合に、リアルタイム又は擬似リアルタイムに適用して医師を支援可能な方式で実装することが困難である。
【課題を解決するための手段】
【０００５】
一般に、本発明は、聴診音を分析することにより、患者の生理的状態を診断する際に医療専門家を支援する技法に関するものである。本技法は、例えば、様々な心臓病の状態を診断する際に医療専門家を支援するべく適用可能である。本明細書に記述されている技法を使用して自動的に検出可能である例示用の心臓病の状態には、大動脈弁閉鎖不全及び狭窄、三尖弁逆流及び狭窄、肺動脈弁狭窄及び逆流、僧帽弁逆流及び狭窄、大動脈瘤、頸動脈狭窄、及びその他の心臓病の病状が含まれる。本技法を聴診音に適用することにより、人工心臓弁に伴う問題及び心臓に関係していない生理的状態を検出可能である。例えば、本技法を適用して患者の肺、腹部、又はその他の領域から記録された音響を検出することにより、呼吸器又は胃腸の状態を検出可能である。
【０００６】
本明細書に記述されている技法によれば、既知の生理的状態に関連する聴診音のデジタル化表現を含む臨床データに対して特異値分解（Singular Value Decomposition：ＳＶＤ）を適用している。臨床データを行列の組として表現可能であり、この場合に、それぞれの行列は、生理的状態の中の異なる１つと関連付けられた聴診音のデジタル表現を保存している。臨床データに対してＳＶＤを適用することにより、これらの行列を多次元空間内の「疾病領域」の組を定義する部分行列の組に分解している。
【０００７】
次いで、それぞれの生理的状態の部分行列の１つ又は複数のものを診断装置内において構成データとして使用可能である。具体的には、診断装置は、構成データを患者と関連する聴診音のデジタル化表現に適用することにより、多次元空間内に１つ又は複数のベクトルの組を生成している。診断装置は、定義されている疾病領域との関係におけるベクトルの向きに基づいて、患者が生理的状態（例えば、心臓病の病状）を経験しているかどうかを判定する。一実施例においては、方法は、音声認識を既知の生理的状態に関連する聴診音に対して適用することにより、音声認識係数を生成するステップと、これらの係数を多次元空間内に定義されている１つ又は複数の疾病領域の組に対してマッピングするステップと、を有している。
【０００８】
別の実施例においては、方法は、特異値分解（Singular Value Decomposition：ＳＶＤ）を生理的状態と関連する聴診音のデジタル化表現に対して適用することにより、聴診音を多次元空間内の１つ又は複数の疾病領域の組に対してマッピングするステップと、この多次元マッピングに基づいて診断装置によって適用される構成データを出力するステップと、を有している。
【０００９】
別の実施例においては、方法は、既知の生理的状態と関連する聴診音のデジタル化表現に対して音声認識法及び主成分分析（Principle Component Analysis：ＰＣＡ）を適用することによって生成された構成データを診断装置内に保存するステップを有しており、この場合に、構成データは、聴診音を多次元空間内の１つ又は複数の疾病領域の組に対してマッピングしている。本方法は、構成データを患者と関連する聴診音を表すデジタル化表現に対して適用することにより、生理的状態の中の１つ又は複数のものを選択するステップと、選択された生理的状態について通知する診断メッセージを出力するステップと、を更に有している。
【００１０】
別の実施例においては、診断装置は、媒体及び制御ユニットを有している。媒体は、既知の生理的状態と関連する聴診音のデジタル化表現に対して音声認識を適用することによって生成されたデータを保存している。制御ユニットは、患者と関連する聴診音を表すデジタル化表現に対して構成データを適用することにより、生理的状態の中の１つを選択している。制御ユニットは、生理的状態の中の選択されたものについて通知する診断メッセージを出力する。
【００１１】
別の実施例においては、データ分析システムは、分析モジュール及びデータベースを有している。分析モジュールは、既知の生理的状態と関連する聴診音のデジタル化表現に対して音声認識及び主成分分析（Principle Component Analysis：ＰＣＡ）を適用することにより、聴診音を多次元空間内の１つ又は複数の疾病領域の組に対してマッピングしている。データベースは、分析モジュールによって生成されたデータを保存している。
【００１２】
別の実施例においては、本発明は、命令を含むコンピュータ可読媒体に関係している。これらの命令により、プログラム可能なプロセッサは、患者と関連する聴診音を表すデジタル化表現に対して構成データを適用することにより、生理的状態の組の中の１つを選択している（この場合に、構成は、音声認識及び主成分分析（Principle Component Analysis：ＰＣＡ）を使用することにより、聴診音を多次元空間内の１つ又は複数の疾病領域の組に対してマッピングしている）。更には、これらの命令により、プログラム可能なプロセッサは、生理的状態の中の選択されたものについて通知する診断メッセージを出力している。
【００１３】
本技法は、１つ又は複数の利点を提供可能である。例えば、ＳＶＤの適用により、従来の方法と比べて、相対的に正確な患者の自動診断を実現可能である。又、これらの技法によれば、構成データをＳＶＤを使用して事前演算した後に、リアルタイム又は擬似リアルタイムで診断装置によって（即ち、医師によって）適用することにより、患者の診断を実施する際に医師を支援可能である。
【発明を実施するための最良の形態】
【００１４】
本発明の１つ又は複数の実施例の詳細については、添付の図面及び以下の説明に開示されている。本発明のその他の特徴、目的、及び利点については、本明細書、図面、及び請求項を参照することにより、明らかとなろう。
【実施例】
【００１５】
図１は、診断装置６が、患者８からの聴診音を分析することにより、診断を実施する際に医師１０を支援する例示用のシステム２を示すブロック図である。一般的に、診断装置６は、分析システム４によって生成された構成データ１３に従ってプログラムされている。診断装置６は、構成データを使用することにより、患者８からの聴診音を分析すると共に、分析に基づいて診断メッセージを出力し、患者の生理的状態の診断において医師１０を支援する。尚、模範的なものとして、心臓病の状態を参照して説明しているが、本技法は、患者８の身体のその他の領域から記録された聴診音に対しても適用可能である。例えば、本技法を患者８の肺又は腹部から記録された聴診音に対して適用することにより、呼吸器又は胃腸の状態を検出可能である。
【００１６】
診断装置６によって適用される構成データ１３を生成する際には、データ分析システム４は、既知の生理的状態を具備した患者の組から記録された聴診音のデジタル化表現を有する臨床データ１２を受領して処理することになる。例えば、これらの聴診音は、１つ又は複数の既知の心臓病の病状を具備した患者から記録可能である。例示用の心臓病の病状には、大動脈弁閉鎖不全及び狭窄、三尖弁逆流及び狭窄、肺動脈弁狭窄及び逆流、僧帽弁逆流及び狭窄、大動脈瘤、頸動脈狭窄、及びその他の病状が含まれている。又、臨床データ１２には、「正常」な患者（即ち、心臓病の病状を具備していない患者）から記録された聴診音も包含されている。一実施例においては、臨床データ１２は、未加工のフィルタリングされていないフォーマットを有する心音の記録を有している。
【００１７】
データ分析システム４の分析モジュール１４は、本明細書に記述されている技法に従って臨床データ１２の聴診音の記録を分析することにより、電子的に記録された聴診音を表す「疾病領域」の組を多次元エネルギー空間内に定義する。多次元空間内のそれぞれの疾病領域は、個別の疾病を表していると数学的に識別された心臓サイクル内の音響の特性に対応している。
【００１８】
後程詳述するように、一実施例においては、分析モジュール１４は、特異値分解（Singular Value Decomposition：ＳＶＤ）を適用することにより、多次元空間内の疾病領域及びそれらの境界を定義している。又、分析モジュール１４は、ＳＶＤを適用することにより、多次元空間内の疾病領域間のエネルギー差を極大化すると共に、疾病領域のそれぞれの間の通常の距離を極大化するそれぞれの疾病領域ごとの個別のエネルギー角度を定義している。データ分析システム４は、分析モジュール１４の稼動及びＳＶＤの適用（これらは、演算集約的なタスクとなろう）のための動作環境を提供する１つ又は複数のコンピュータを包含可能である。例えば、データ分析システム４は、数学的モデリング及び数値分析環境を提供する１つ又は複数のワークステーション又はメインフレームコンピュータを包含可能である。
【００１９】
分析モジュール１４は、診断装置６によって適用されるべく、分析の結果をパラメータデータベース１６内に保存している。例えば、パラメータデータベース１６は、多次元エネルギー空間及びこの空間の疾病領域のエネルギー領域を定義する診断装置６用のデータを包含可能である。換言すれば、このデータを使用することにより、正常な心臓の活動及び定義された心臓病の病状を表す心臓サイクルの聴診音の特性を識別可能である。後程詳述するように、このデータは、臨床データ１２に対してＳＶＤを適用した際に生成される１つ又は複数の部分行列を有することができる。
【００２０】
分析モジュール１４による臨床データ１２の処理及びパラメータデータベース１６の生成が完了すると、診断装置６は、患者８の診断を支援するための構成データ１３を受信する（或いは、さもなければ、これを適用するべく構成されている）。図示の実施例においては、聴診音記録装置１８が、患者８からの聴診音を監視しており、通信リンク１９を介して、この音響のデジタル化表現を診断装置６に対して伝送している。診断装置６は、構成データ１３を適用することにより、患者８からの聴診音の記録を分析する。
【００２１】
一般に、診断装置６は、構成データ１３を適用することにより、聴診音記録装置１８から受信したデジタル化表現を、データ分析システム４によって臨床データ１２から演算された多次元エネルギー空間に対してマッピングする。後程詳述するように、診断装置６は、構成データ１３を適用することにより、キャプチャされた音響を表すベクトルの組を多次元空間内に生成する。次いで、診断装置６は、疾病領域との関係における多次元空間内のベクトルの向きに基づいて疾病領域の中の１つを選択する。一実施例においては、診断装置６は、その代表的なベクトルから最小の距離を具備している多次元空間内に定義された疾病領域を判定している。この判定に基づいて、診断装置は、医師１０に対して示唆診断を提示する。診断装置６は、患者８の心音の記録において識別されている１つ又は複数の心臓サイクルの分析を反復することにより、医師１０に対して正確な診断が報告されることを保証するべく支援可能である。
【００２２】
様々な実施例において、診断装置６は、様々なメッセージタイプを出力可能である。例えば、診断装置６は、患者８の生理的状態が正常であるか異常であるか（例えば、患者が心臓病の病状を経験しているかどうか）を通知する「合格／不合格」タイプのメッセージを出力可能である。この実施例においては、データ分析システム４は、（１）正常及び（２）羅病という２つの領域を含むように多次元空間を定義可能である。換言すれば、データ分析システム４は、それぞれの心臓病の疾病ごとに、多次元空間において個別の疾病領域を定義する必要はない。分析の際に診断装置６に対して要求されるのは、患者８の聴診音が、「正常」領域又は「羅病」領域のいずれに近接してマッピングされているのかを判定し、この判定に基づいて合格／不合格メッセージを出力することのみである。診断装置６は、マッピングされた患者８の聴診音が正常な領域から離隔している算出距離に基づいて重大性インジケータを表示可能である。
【００２３】
別の例として、診断装置６は、診断メッセージを出力することにより、患者８が現在経験している１つ又は複数の特定の病状を示唆可能である。或いは、この代わりに、又は、これに加えて、診断装置６は、患者８が傾向を有している病状の予報的な評価として診断メッセージを出力することも可能である。換言すれば、この予報的な評価は、患者が特定の心臓病の状態に陥りやすいかどうかを通知するものである。これにより、医師８は、事前に治療法を処方することにより、予測される病状が発生又は悪化する可能性を低減可能である。
【００２４】
診断装置６は、表示されたメッセージタイプを医師１０が選択可能であるユーザー構成可能なモード設定をサポート可能である。例えば、診断装置６は、合格／不合格タイプのメッセージのみを表示する第１モード、１つ又は複数の示唆診断を表示する第２モード、及び１つ又は複数の予測診断を示唆する第３モードをサポート可能である。
【００２５】
診断装置６は、ラップトップコンピュータ、ハンドヘルド型演算装置、ＰＤＡ（Personal Digital Assistant）、心エコー図分析器、又はその他の装置であってよい。診断装置６は、本技法を実装するべく、組み込み型のマイクロプロセッサ、ＤＳＰ（Digital Signal Processor）、ＦＰＧＡ（Field Programmable Gate Array）、ＡＳＩＣ（Application Specific Integrated Circuit）、又はその他のハードウェア、ファームウェア、及び／又はソフトウェアを包含可能である。換言すれば、本明細書に記述されている患者８の聴診音の分析は、ハードウェア、ソフトウェア、ファームウェア、これらの組み合わせ、又はこれらに類似したものによって実装可能である。ソフトウェアによって実装された場合には、コンピュータ可読媒体は、前述の技法の１つ又は複数のものを実行するべくプロセッサ又はＤＳＰによって実行可能である命令（即ち、プログラムコード）を保存可能である。例えば、コンピュータ可読媒体は、磁気媒体、光学媒体、ＲＡＭ（Random Access Memory）、ＲＯＭ（Read-Only Memory）、ＮＶＲＡＭ（Non-Volatile Random Access Memory）、ＥＥＰＲＯＭ（Electrically Erasable Programmable Read-Only Memory）、フラッシュメモリ、又はプログラムコードを保存するためのその他の媒体を有することができる。
【００２６】
聴診音記録装置１８は、患者８の聴診音を表す電子信号を生成する能力を有する任意の装置であってよい。一例として、聴診音記録装置１８は、聴診音の電子的な記録を生成及びキャプチャするＤＳＰ（Digital Signal Processor）又はその他の内部コントローラを具備した電子聴診器であってよい。或いは、この代わりに、使い捨て／再使用可能なセンサ、マイクロフォン、及び聴診音をキャプチャするその他の装置などの非聴診器製品を使用することも可能である。
【００２７】
本明細書に記述されている技法を適用することにより、フィルタリングされていない形態の未加工のデータを利用可能である。又、本技法は、聴診音記録装置１８によってキャプチャされた可聴範囲内ではない聴診音を利用することも可能である。例えば、電子聴診器は、０〜２０００Ｈｚの範囲の音響をキャプチャ可能である。
【００２８】
尚、別個の装置として示されているが、診断装置６及び聴診音記録装置１８は、単一の装置として（例えば、本明細書に記述されている技法に従って患者８からの心音を記録及び分析する十分な演算リソースを具備した電子聴診器内に）統合可能である。通信リンク１９は、有線のリンク（例えば、シリアル又はパラレル通信リンク）、無線赤外線通信リンク、或いは、プロプライエタリなプロトコル又は８０２．１１（ａ／ｂ／ｇ）、Ｂｌｕｅｔｏｏｔｈ（登録商標）、及びこれらに類似したものなどの様々な無線規格のいずれかに準拠した無線の通信リンクであってよい。
【００２９】
図２は、診断装置として動作することにより、患者８（図１）の診断を支援するＰＤＡ（Portable Digital Assistant）２０の模範的な実施例のブロック図である。図示の実施例においては、ＰＤＡ２０は、接触感知画面２２、入力キー２６、２８、及び２９Ａ〜２９Ｄを含んでいる。
【００３０】
医師１０が取得キー２６を選択した際に、診断装置２０は、取得モードに入り、記録された聴診音のデジタル化表現を通信リンク１９を介して患者８から受信する。デジタル化表現の受信が完了すると、医師１０は、診断キー２８を起動することにより、構成データ１３を適用すると共に、受信した聴診音に基づいて示唆診断を実施するように、診断装置２０に対して命令する。或いは、この代わりに、診断装置２０は、診断キー２８の起動を必要とすることなしに、音響の処理を自動的に開始することも可能である。
【００３１】
後程詳述するように、診断装置２０は、構成データ１３を適用することにより、聴診音記録装置１８から受信したデジタル化表現をデータ分析システム４によって演算された多次元エネルギー空間に対してマッピングしている。一般に、診断装置２０は、患者８の聴診音が最も近接してマッピングされている多次元空間内に定義された疾病領域を判定する。この判定に基づいて、診断装置２０は、接触感知画面２２を更新することにより、１つ又は複数の示唆診断を医師１０に対して出力する。この例においては、診断装置２０は、患者８が大動脈弁狭窄を経験している可能性があると聴診音が通知しているということを通知する診断メッセージ２４を出力している。又、診断装置は、患者８から記録された聴診音のグラフィカルな表現２３を出力することも可能である。
【００３２】
診断装置２０は、この装置を介して実行される分析のタイプを制御するいくつかの入力キー２９Ａ〜２９Ｄを包含可能である。例えば、どの入力キー２９Ａ〜２９Ｄが医師１０によって選択されたかに基づいて、診断装置２０は、合格／不合格タイプの診断メッセージ、患者８が現在経験している可能性のある１つ又は複数の病状、患者８が経験していると識別された１つ又は複数の病状、及び／又は患者８が傾向を有している１つ又は複数の病状の予報的な評価を提供する。
【００３３】
又、画面２２又は入力キーにより、性別、年齢、及びＢＭＩ（体格指数＝「体重（Ｋｇ）」／「身長（メートル）の二乗」）などの特定の患者情報を入力することも可能であろう。この情報は、本明細書に記述されている分析の際に使用することができよう。
【００３４】
図２に示されている実施例においては、診断装置２０は、カリフォルニア州ミルピタス（Milpitas）に所在するＰａｌｍ（登録商標）Ｉｎｃ．社によって製造されたＰａｌｍＰｉｌｏｔ（登録商標）又はワシントン州レドモンド（Redmond）に所在するＭｉｃｒｏｓｏｆｔ（登録商標）Ｃｏｒｐｏｒａｔｉｏｎ社のＷｉｎｄｏｗｓ（登録商標）ＣＥオペレーティングシステムを実行するＰｏｃｋｅｔＰＣ（登録商標）などの任意のＰＤＡであってよい。
【００３５】
図３は、本明細書に記述されている技法に従って診断装置として動作する電子聴診器３０の模範的な実施例の透視図である。図示の実施例においては、電子聴診器３０は、チェストピース３２、音響伝送メカニズム３４、及びイアピースアセンブリ３６を有している。チェストピース３２は、聴診音を収集するべく患者８の身体の近傍又はこれに対して配置されるべく適合されている。音響伝送メカニズム３４は、収集された音響をイアピースアセンブリ３６に対して伝送する。イアピースアセンブリ３６は、イアピースのペア３７Ａ、３７Ｂを含んでおり、医師１０は、これによって聴診音を監視可能である。
【００３６】
図示の実施例においては、チェストピース３２は、診断メッセージ４２を出力するためのディスプレイ４０を含んでいる。更に詳しくは、電子聴診器３０は、構成データ１３を適用することにより、チェストピース３２によってキャプチャされた聴診音をデータ分析システム４によって演算された多次元エネルギー空間に対してマッピングする内部コントローラ４４を含んでいる。コントローラ４４は、患者８の聴診音が最も近接してマッピングされているエネルギー空間内に定義された疾病領域を判定する。この判定に基づいて、コントローラ４４は、ディスプレイ４０を更新して診断メッセージ４２を出力する。
【００３７】
尚、コントローラ４４は、模範的な態様を示すべく、チェストピース３２内に配置されるものとして図示されているが、電子聴診器３０のその他の領域内に配置することも可能である。コントローラ４４は、組み込み型のマイクロプロセッサ、ＤＳＰ、ＦＰＧＡ、ＡＳＩＣ、又は本技法を実装するための類似のハードウェア、ファームウェア、及び／又はソフトウェアを有することができる。コントローラ４４は、本明細書に記述されている技法の１つ又は複数のものを実行するべく実行可能であるコンピュータ可読命令（即ち、プログラムコード）を保存するためのコンピュータ可読媒体を包含可能である。
【００３８】
図４は、本明細書に記述されている技法の概要を提供するフローチャートである。図４に示されているように、本プロセスは、大きく２つの段階に分割可能である。第１の段階は、パラメトリック分析段階と呼ばれるものであり、ここでは、ＳＶＤを使用して臨床データ１２（図１）を分析することにより、診断装置６用の構成データ１３を生成している。このプロセスは、演算集約的なものとなろう。第２段階は、診断段階と呼ばれるものであり、ここでは、診断装置６によって分析段階の結果を適用することにより、患者の診断を支援している。説明のために、図１を参照して図４のフローチャートについて説明する。
【００３９】
まず、臨床データ１２を収集し（５０）、特異値分解（５２）のためにデータ分析システム４に提供している。前述のように、臨床データ１２は、既知の心臓病の状態を具備した患者の組からの聴診音の電子的な記録を有している。
【００４０】
データ分析システム４の分析モジュール１４は、本明細書に記述されている技法に従って臨床データ１２の心音の記録を分析することにより、その電子的に記録された心音を表す疾病領域の組を多次元空間内に定義している（５２）。多次元空間内のそれぞれの疾病領域は、個別の疾病を表すものと数学的に識別された心臓サイクル内の音響に対応している。分析モジュール１４は、分析の結果をパラメータデータベース１６内に保存している（５４）、具体的には、この結果は、患者の聴診音を生成された多次元空間に対してマッピングするべく診断装置６によって使用される構成データ１３を含んでいる。分析モジュール１４による臨床データ１２の処理が完了したら、診断装置６が、患者１８の診断を支援するべく、構成データ１３を受信する（或いは、さもなければ、これを適用するべくプログラムされている）（５６）。従って、データ分析システムは、ＳＶＤを含む本明細書に記述されている技法を適用して既知の生理的状態を具備した患者からの記録された聴診音の代表的なサンプルセットを分析することにより、リアルタイム又は擬似リアルタイムで適用可能であるパラメータデータを生成しているものと見なすことができる。
【００４１】
診断段階は、聴診音記録装置１８が患者８から聴診音をキャプチャした際に始まることになる。診断装置６は、構成データ１３を適用することにより、聴診音記録装置１８から受信した心音をデータ分析システム４によって臨床データ１２から演算された多次元エネルギー空間に対してマッピングしている（５８）。心臓病の聴診音の場合には、診断装置６は、患者８の心音の記録において識別されている１つ又は複数の心臓サイクルのリアルタイム診断を反復することにより、医者１０に対して正確な診断が報告されることを保証するべく支援可能である。診断装置６は、構成の適用と患者の聴診音の多次元空間に対するマッピングに基づいて診断メッセージを出力する（５９）。
【００４２】
図５は、パラメトリック分析段階（図４）について更に詳しく示しているフローチャートである。まず、既知の心臓病の状態を具備した患者の組から臨床データ１２を収集している（６０）。一実施例においては、それぞれの記録は、約８秒の聴診心音をキャプチャしており、これは、７０拍動／分の心拍数において、約９．３３個の心臓サイクルを表している。それぞれの記録は、３２，０００個の離散値を具備したベクトルＲ（これは、約４０００Ｈｚのサンプリングレートを表している）としてデジタルの形態で保存されている。
【００４３】
図６を参照して後程詳述するように、それぞれの心音の記録Ｒを前処理している（６２）。この前処理においては、分析モジュール１２は、ベクトルＲを処理することにより、それぞれの心臓サイクルの開始時点及び終了時点を識別している。更には、分析モジュール１４は、それぞれの心臓サイクル中の収縮期及び拡張期並びにＳ１及びＳ２期間の開始及び終了時点を識別している。これらの識別結果に基づいて、分析モジュール１４は、それぞれの心臓サイクルを共通の心拍数（例えば、７０拍動／分）に正規化している。換言すれば、分析モジュール１４は、定義された期間（例えば、約８５７ｍｓであり、これは、７０拍動／分の心拍数に対応している）に整合するように心臓サイクルと関連したデータを伸長又は圧縮するべく、それぞれの心臓サイクルに対応したデジタル化データをリサンプリング可能である。
【００４４】
それぞれの個別の心臓の記録を前処理した後に、分析モジュール１４は、特異値分解（ＳＶＤ）を臨床データ１２に対して適用することにより、多次元エネルギー空間を生成すると共に、聴診音の特性に相関している疾病領域を多次元エネルギー空間内に定義している（６４）。
【００４５】
更に詳しくは、分析モジュール１４は、同一の既知の心臓病の状態を具備した患者のＮ個の前処理済みの音響記録Ｒを組み合わせることにより、ＭｘＮの行列Ａを次のように形成している。
【００４６】
【数１】
2008528124.tif 000003
【００４７】
ここで、それぞれの行は、Ｍ個のデジタル化値（例えば、３４００個の値）を具備した異なる音響記録Ｒを表している。
【００４８】
次に、分析モジュール１４は、ＳＶＤを適用することにより、Ａを３つの部分行列の積に分解している。
【００４９】
Ａ＝ＵＤＶT
【００５０】
ここで、Ｕは、直交列を有するＮｘＭの行列であり、Ｄは、ＭｘＭの非負対角行列であり、Ｖは、ＭｘＭの直交行列である。この関係は、次のようにも表現可能である。
【００５１】
ＵTＡＶ＝ｄｉａｇ（Ｓ）＝ｄｉａｇ（σ1，．．．，σp）
【００５２】
ここで、行列Ｓ（σ1，．．．，σp）の要素は、Ａの特異値である。このＳＶＤ表現において、Ｕは、左特異行列であり、Ｖは、右特異行列である。又、Ｕは、行列Ａを最良に定義するそれぞれのＲにおける特性を定義するＭｘＭの重み付け行列と見なすことも可能である。更に詳しくは、ＳＶＤの原理によれば、Ｕ行列は、行列ＡをＭ次元空間内の定義された領域に対してマッピングする重み付け行列を提供している。
【００５３】
分析モジュール１４は、それぞれの心臓病の状態について、このプロセスを反復する。換言すれば、分析モジュール１４は、「正常」な患者の音響記録Ｒを利用して対応する行列ＡNORMALを演算すると共に、ＳＶＤを適応してＵNORMAL行列を生成している。同様に、分析モジュールは、それぞれの病状ごとに、Ａ行列及び対応するＵ行列を演算している。例えば、分析モジュール１４は、ＵAS、ＵAR、ＵTR、及び／又はＵDISEASEDを生成可能であり、この場合に、「ＡＳ」は、大動脈弁狭窄を有しているとその他の診断ツールによって判明している一人の患者又は患者の集団から生成されたＵ行列を表している。同様に、添え字「ＡＲ」は、大動脈弁閉鎖不全を表しており、添え字「ＴＲ」は、三尖弁逆流を表している。
【００５４】
次いで、分析モジュール１４は、演算されたＵ行列のそれぞれとその他のＵ行列をペアとして乗算すると共に、心臓病の状態間を弁別する特性を最良に特徴付けているＵ行列の部分を識別するべく、結果的に得られた行列に対してＳＶＤを実行している。例えば、ＵNORMAL、ＵAS、及びＵARという行列を仮定した場合には、分析モジュールは、次の行列を演算している。
【００５５】
Ｔ１＝ＵNORMAL＊ＵAS、
Ｔ２＝ＵNORMAL＊ＵAR、及び
Ｔ３＝ＵAS＊ＵAR
【００５６】
次いで、分析モジュール１４は、この結果得られた行列Ｔ１、Ｔ２、及びＴ３のそれぞれに対してＳＶＤを適用しており、この結果、この場合にも、それぞれの心臓病の状態間における多次元空間内のエネルギー差を極大化するそれぞれのオリジナルのＵ行列の部分を識別するのに使用可能である部分行列の組が返されることになる。例えば、Ｔ１に対してＳＶＤを適用して演算された行列を使用することにより、多次元空間内の個別の疾病領域の直交性を極大化するＵNORMAL及びＵASの部分を識別可能である。
【００５７】
この結果、Ｔ１を使用することにより、ＵNORMAL及びＵASを（診断において相対的に効率的に適用可能である）部分行列にトリミング（或いは、さもなければ、縮小）可能である（６４）。例えば、Ｔ１、Ｔ２、及びＴ３のそれぞれに対してＳＶＤを適用して演算されたＳ行列を使用可能である。逆コサインをそれぞれのＳ行列に対して適用することにより、多次元空間内の個別の２つの心臓病の状態間におけるエネルギー角度を演算可能である。次いで、このエネルギー角度を使用することにより、多次元空間内の疾病領域間におけるエネルギー差を最良に表すそれぞれのＵ行列の部分を識別可能である。
【００５８】
次いで、分析モジュールは、それぞれの心臓病の状態ごとに平均ベクトルＡＶを演算している（６６）。具体的には、心臓病データ１２から生成されたそれぞれのＭｘＮのＡ行列ごとに、分析モジュール１４は、行列Ａ内のＮ個の音響記録Ｒから演算された平均デジタル化値を保存する１ｘＮの平均ベクトルＡＶを演算している。例えば、分析モジュール１４は、ＡＶAS、ＡＶAR、ＡＶTR、及び／又はＡＶDISEASEDベクトルを演算可能である。
【００５９】
分析モジュール１４は、演算されたＡＶ平均ベクトル及びＵベクトル（又は、縮小されたＵ行列）を、構成データ１３として使用するべく、パラメータデータベース１６内に保存している。例えば、分析モジュール１４は、診断装置６によって構成データ１３として使用されるように、ＡＶAS、ＡＶAR、ＡＶTR、ＵNORMAL、ＵAS、及びＵARを保存可能である（６８）。
【００６０】
図６は、聴診音の記録Ｒを前処理する一技法を更に詳細に示しているフローチャートである。一般に、この前処理法においては、聴診音の記録Ｒを複数の心臓サイクルに分離すると共に、それぞれの心臓サイクルを（第１心音、収縮期部分、第２心音、及び拡張期部分からなる）４つの部分に更に分離している。この前処理法においては、雑音を抑圧するべくＳＥＥ（Shannon Energy Envelogram）を適用している。次いで、心音ピークの相対的な一貫性を利用することにより、ＳＥＥに閾値を設定している。使用する閾値は、その特定の聴診音の記録Ｒに基づいて適応的に生成可能である。
【００６１】
まず、分析モジュール１４は、聴診音の記録Ｒに対してウェーブレット分析を実行することにより、記録内においてエネルギー閾値を識別している（７０）。例えば、ウェーブレット分析によれば、特定の周波数範囲間のエネルギー閾値を入手可能である。換言すれば、デジタル化された記録のエネルギーの重要な部分を含む特定の周波数範囲を識別可能である。
【００６２】
識別されたエネルギー閾値に基づいて、分析モジュール１４は、聴診音の記録Ｒを１つ又は複数の周波数帯域に分解している（７２）。分析モジュール１４は、それぞれの周波数帯域内の信号の特性を分析することにより、それぞれの心臓サイクルを識別する。具体的には、分析モジュール１４は、周波数帯域を調査することにより、心臓サイクルの収縮期及び拡張期段階と、特定の心臓弁膜の活動が発生するＳ１及びＳ２期間を識別している（７４）。それぞれの心臓サイクルをセグメントするために、分析モジュール１４は、まず、低域通過フィルタ（例えば、１ｋＨｚのカットオフ周波数を有する８次Ｃｈｅｂｙｓｈｅｖタイプの低域通過フィルタ）を適用可能である。次いで、０．０１秒のセグメントのオーバーラップを有する聴診音の記録Ｒの０．０２秒セグメントごとに、平均ＳＥＥを次のように算出可能である。
【００６３】
【数２】
2008528124.tif 000004
【００６４】
ここで、Ｘnormは、低域通過フィルタリング及び正規化された音響記録のサンプルであり、Ｎは、０．０２秒のセグメント内の信号サンプルの数である（例えば、Ｎは、２００に等しい）。次いで、正規化済みの平均シャノンエネルギー対時間軸を次のように演算可能である。
【００６５】
【数３】
2008528124.tif 000005
【００６６】
ここで、Ｍ（ＥS（ｔ））は、ＥS（ｔ）の平均であり、Ｓ（ＥS（ｔ））は、ＥS（ｔ）の標準偏差である。次いで、これらの平均及び標準偏差を、それぞれの心臓サイクルにおけるピーク及びそれぞれの心臓サイクルにおけるそれぞれのセグメントの開始及び終了時点を識別するための基礎として使用する。
【００６７】
聴診音の記録Ｒ内におけるそれぞれの心臓サイクル及びそれぞれのＳ１及びＳ２期間の開始及び終了時点の判定が完了したら、分析モジュール１４は、それぞれの心臓サイクル及びそれぞれのＳ１及びＳ２期間が所定の期間において発生するように伸長又は圧縮するべく、聴診音の記録Ｒをリサンプリングしている（７６）。例えば、分析モジュール１４は、それぞれの心臓サイクルを共通の心拍数（例えば、７０拍動／分）に正規化可能であり、且つ、サイクル内のそれぞれのＳ１及びＳ２期間が等しい時間長に対応するように保証可能である。これにより、有利には、心臓の活動の様々なフェーズにおける聴診音の記録Ｒの各部分を相対的に容易且つ正確に分析すると共に、その他の聴診音の記録の類似した部分と比較可能である。
【００６８】
デジタル化された音響記録Ｒ内の心臓サイクルを正規化した後に、分析モジュール１４は、分析のために、１つ又は複数の心臓サイクルを選択している（７８）。例えば、分析モジュール１４は、心臓サイクル内に存在している雑音の量に基づいて心臓サイクルの中から「最もクリーン」なものを識別可能である。その他の例として、分析モジュール１４は、分析のために、すべての心臓サイクルの平均又はランダムに選択された複数の心臓サイクルの平均を演算することも可能である。
【００６９】
図７は、図６を参照して前述したウェーブレット分析及びエネルギー閾値設定の例示用の結果を示している。具体的には、図７は、音響記録Ｒの一部を示している。この例においては、分析モジュール１４は、模範的な聴診音の記録Ｒを４つの周波数帯域８０Ａ〜８０Ｄに分解しており、それぞれの周波数帯域は、個別の周波数成分８２Ａ〜８２Ｄを含んでいる。
【００７０】
分解結果に基づいて、分析モジュール１４は、心臓サイクルの各段階を表している聴診音に対する変化を検出する。分解された周波数を分析すると共に、関係する特性（例えば、１つ又は複数の周波数帯域８０内のスロープの変化）を識別することにより、分析モジュール１４は、収縮期及び拡張期と、特に、Ｓ１及びＳ２期間の開始及び終了を確実に検出可能である。
【００７１】
図８は、聴診音の記録Ｒの例示用のデータ構造８４を示している。図示のように、データ構造８４は、聴診音の記録Ｒを表すデジタル化データを保存する１ｘＮのベクトルを有することができる。又、前処理及びリサンプリングに基づいて、データ構造８４は、固定数の心臓サイクルにおけるデータを保存しており、それぞれのＳ１及びＳ２領域は、データ構造の予め定義されている部分を占有している。例えば、第１心臓サイクルにおけるＳ１領域８６は、データ構造８４の要素０〜３９９を有することが可能であり、第１心臓サイクルの収縮期領域８７は、要素４００〜１２９９を有することができる。これにより、前述のように、複数の聴診音の記録Ｒを容易に組み合わせることにより、所与の心臓サイクルにおけるＳ１及びＳ２領域が列アライメントされたＭｘＮの行列Ａを形成可能である。
【００７２】
図９は、診断段階（図４）を更に詳細に示しているフローチャートである。まず、聴診データを患者８から収集している（９０）。前述のように、聴診データは、別個の聴診音記録装置１８（例えば、電子聴診器）によって収集し、通信リンク１９を介して診断装置６に伝送可能である。別の実施例においては、診断装置６の機能を聴診音記録装置１８内に統合可能である。パラメトリック分析段階と同様に、収集された聴診記録は、略８秒の聴診音を患者８からキャプチャしており、３４００個の離散値を具備したベクトルＲPATとしてデジタルの形態で保存可能である。
【００７３】
聴診データＲPATをキャプチャした後に、診断装置６は、図６を参照して先程詳述したように、心音記録ＲPATを前処理している（９２）。この前処理においては、診断装置６は、ベクトルＲPATを処理することにより、それぞれの心臓サイクルの開始時点及び終了時点と、それぞれの心臓サイクルの収縮期及び拡張期並びにＳ１及びＳ２期間の開始及び終了時点を識別している。これらの識別結果に基づいて、診断装置６は、それぞれの心臓サイクルを共通の心拍数（例えば、７０拍動／分）に正規化している。
【００７４】
次いで、診断装置６は、分析段階において調査されているそれぞれの生理的状態ごとに、構成データ１３を適用するループを起動する。例えば、診断装置は、ＡＶAS、ＡＶAR、ＡＶTR、ＵNORMAL、ＵAS、及びＵARの構成データを利用して患者８の診断を支援可能である。
【００７５】
診断装置６は、まず、第１の生理的状態（例えば、正常）を選択している（９３）。次いで、診断装置６は、キャプチャされた聴診音ベクトルＲPATから対応する平均ベクトルＡＶを減算することにより、差分ベクトルＤを生成している（９４）。結果的に得られるＤのデジタル化データが、キャプチャされた心音ベクトルＲPATと現時点において選択されている生理的状態の間の差を表しているため、Ｄは、一般に差分ベクトルと呼ばれている。例えば、診断装置６は、ＤNORMALを次のように算出可能である。
【００７６】
ＤNORMAL＝ＲPAT−ＡＶNORMAL
【００７７】
次いで、診断装置６は、結果的に得られた差分ベクトルＤに、現時点において選択されている生理的状態の対応するＵ行列を乗算することにより、現時点において選択されている心臓病の状態との関連において患者８を表しているベクトルＰを生成している（９６）。例えば、診断装置６は、ＰNORMALベクトルを次のように算出可能である。
【００７８】
ＰNORMAL＝ＤNORMAL＊ＵNORMAL
【００７９】
対応するＵ行列を差分ベクトルＤに対して乗算することにより、事実上、多次元空間内の対応する疾病領域と関連している重み付け行列が適用され、多次元空間内にベクトルＰが生成されることになる。現在の心臓病の状態の疾病領域に対するベクトルＰのアライメントは、結果的に得られる差分ベクトルＤ及び分析段階において判定されるＵ行列の正規性によって左右される。
【００８０】
診断装置６は、このプロセスを多次元空間内に定義されているそれぞれの心臓病の状態ごとに反復することにより、患者８から記録された聴診音を表しているベクトルの組を生成している（９８、１０６）。例えば、構成データ１３がＡＶAS、ＡＶAR、ＡＶTR、ＵNORMAL、ＵAS、及びＵARを有していると仮定した場合には、診断装置６は、４つの患者ベクトルを次のように算出する。
【００８１】
ＰNORMAL＝ＤNORMAL＊ＵNORMAL
ＰAS＝ＤAS＊ＵAS
ＰAR＝ＤAR＊ＵAR、及び
ＰTR＝ＤTR＊ＵTR
【００８２】
このベクトルの組は、分析段階において生成された多次元空間内の患者８から記録された聴診音を表している。従って、このそれぞれのベクトルと、対応する疾病領域の間の距離は、患者８からの聴診音の特性と、個別の心臓病の状態を具備することが判明している患者の聴診音の特性の間の類似性の尺度を表している。
【００８３】
次いで、診断装置６は、多次元空間内のベクトル及び疾病領域の向きの関数として疾病領域の１つを選択する。一実施例においては、診断装置は、エネルギー空間内に定義されているどの疾病領域が代表的なベクトルから最小の距離を具備しているのかを判定している。例えば、診断装置６は、まず、それぞれのベクトルと、定義されている疾病領域の間の最小の角度距離を表すエネルギー角度を算出している（１００）。前述の例を継続すれば、診断装置６は、次の４つの距離計測値を演算可能である。
【００８４】
ＤＩＳＴNORMAL＝ＰNORMAL−ＭＩＮ［ＰAS，ＰAR，ＰTR］、
ＤＩＳＴAS＝ＰAS−ＭＩＮ［ＰNORMAL，ＰAR，ＰTR］、
ＤＩＳAR＝ＰAR−ＭＩＮ［ＰAS，ＰNORMAL，ＰTR］、及び
ＤＩＳTR＝ＰTR−ＭＩＮ［ＰAS，ＰAR，ＰNORMAL］
【００８５】
具体的には、それぞれの距離計測値ＤＩＳＴは、それぞれの患者ベクトルＰと、多次元空間内の定義されているそれぞれの疾病領域の平均の間の２次元距離である。
【００８６】
演算された距離に基づいて、診断装置６は、最小の距離計測値を識別すると共に（１０２）、患者８用の示唆診断を判定することにより、医師１０を支援している。例えば、患者ベクトルの組のなかで、ＰASが、その個別の疾病空間（即ち、ＡＳ疾病領域）から最小の距離だけ離隔している場合には、診断装置６は、患者８が大動脈弁狭窄を経験している可能性が高いと判定する。診断装置６は、この識別結果に基づいて代表的な診断メッセージを医師１０に対して出力している（１０４）。メッセージを出力する前に、診断装置６は、患者８の記録された心音において識別されている１つ又は複数の心臓サイクルについて分析を反復することにより、正確な診断が医師１０に対して報告されることを保証するべく支援可能である。
【００８７】
（例）
本明細書に記述されている技法を「正常」な心臓の活動又は大動脈弁狭窄のいずれかを具備していると判明している患者の組の臨床データに対して適用した。具体的には、例示用の臨床データに基づいて多次元空間を生成した後に、本明細書に記述されている技法に従って患者をリアルタイムで評価した。
【００８８】
次の表は、正常な心臓の状態を具備していると判明している患者の聴診音の距離計算を示している。具体的には、それぞれの患者の計測された心臓サイクルのそれぞれごとにベクトルを演算した。表１は、正常な心臓の状態と関連した多次元空間内の疾病領域との関係におけるベクトルの距離（ボルトと単位として計測したもの）を示している。
【００８９】
【表１】
2008528124.tif 000006
【００９０】
表２は、大動脈弁狭窄を具備していると判明している患者の聴診音の距離計算（ボルトを単位として計測したもの）を示している。具体的には、表２は、大動脈弁狭窄の心臓病の状態と関連した多次元空間内の領域との関係におけるベクトルのエネルギー距離を示している。
【００９１】
【表２】
2008528124.tif 000007
【００９２】
表１及び表２に示されているように、これらのベクトルは、多次元空間内において明確に分離されており、これは、診断を容易に実行可能であることを示している。５人の患者のすべてが、同様のパターンを示している。
【００９３】
図１０Ａ及び図１０Ｂは、模範的な結果を概略的に示すグラフである。具体的には、図１０Ａ及び図１０Ｂは、正常なデータとの比較において大動脈弁狭窄データを示している。同様に、図１１Ａ及び図１１Ｂは、正常なデータとの比較において三尖弁逆流データを示すグラフである。図１２Ａ及び図１２Ｂは、三尖弁逆流データとの比較において大動脈弁狭窄データを示すグラフである。一般に、図１０Ａ、図１０Ｂ、図１１Ａ、及び図１１Ｂのグラフは、本技法によれば、正常なデータ及び疾病に関係したデータの実質的にオーバーラップしていないデータが結果的に得られることを示している。
【００９４】
図１３は、聴診音の記録Ｒの前処理用の別の技法を示すフローチャートである。具体的には、図１４は、本明細書に記述されているＳＶＤプロセス又はその他の主成分分析法によって使用されるメル−ケプストラム係数を生成するための音声認識法の適用法を示している。図６との関係において説明した前処理法とは異なり、聴診音の記録Ｒに対して音声認識技術を適用することにより、聴診音の記録Ｒの心臓サイクルへの分離と、それぞれの心臓サイクルの（第１心音、収縮期部分、第２心音、及び拡張期部分からなる）４つの部分への更なる分離を実行する必要性を除去可能である。セグメント化は、演算集約的であり、且つ、時間を所要することになろう。
【００９５】
一般に、ケプストラムとは、信号の対数スペクトルの離散コサイン変換のことであり、一般に、スピーチ認識システムにおいて使用されている。メル−ケプストラムとは、ケプストラムの１つの変形バージョンであり、ケプストラムの演算の際に周波数ドメインを不均等に分割することによって人間の聴覚系を利用するべく設計されている。
【００９６】
まず、分析モジュール１４は、ＦＦＴアルゴリズム及びハニングウィンドウを使用することにより、聴診音の記録Ｒの離散フーリエ変換（Discrete Fourier Transform：ＤＦＴ）を演算している（２００）。次いで、分析モジュール１４は、ＤＦＴ（Ｒ）を、可聴範囲においてＭ個の不均等なサブ帯域に分割している（２０２）。具体的には、分析モジュール１４は、可聴範囲の低周波数部分をＮ個の均等なサブ帯域に分割可能である。例えば、２０〜５００Ｈｚの周波数範囲を１２個のサブ帯域に線形分割可能である。次に、上部の周波数帯域をＮ個のサブ帯域に対数的に分割する。例えば、５００〜２００Ｈｚを１２個のサブ帯域に分割可能である。このように分割する１つの理由は、高周波数帯域内の可聴成分が雑音である可能性があるためである。
【００９７】
次いで、分析モジュール１４は、結果的に得られた信号を大きさ−周波数表現として生成し、定義されたサブ帯域のそれぞれごとに、メル−ケプストラム係数を判定している（２０４）。メル−ケプストラムベクトル（ｃ＝［ｃ１，ｃ２，．．．，ｃＫ］）は、聴診音ベクトルＲの離散コサイン変換（ＤＣＴ）から次のように演算可能である。
【００９８】
【数４】
2008528124.tif 000008
【００９９】
ここで、Ｍは、サブ帯域の数を表している。
【０１００】
具体的には、分析モジュール１４は、疾病状態間における可変性を最も表しているメル−ケプストラム係数の成分を選択し、それらの係数を本明細書に記述されているＳＶＤプロセスに対する入力として使用することにより、多次元空間内の疾病領域及びそれらの境界を定義している（２０６）。この場合には、ＳＶＤ分析において、聴診音ベクトルを使用する代わりに、判定されたメル−ケプストラム係数のベクトルを使用することになる。メル−ケプストラムに基づいた主成分分析の一例は、A. E. Cetin 他著, "Classification of Closed- and Open-Shell Pistachio Nuts using Voice-Rcognition Technology",（Transactions of ASAE、２００４年、４７（２）巻、６５９〜６６４頁）に記述されており、この内容は、本引用により、本明細書に包含される。その他の実施例においては、特徴抽出のために、回帰モデリング、ニューラルネットワーク、又はエキスパートシステムの使用などのあらゆるパラメトリック及び非パラメトリック法を使用可能である。
【０１０１】
図１４〜図１７は、単一の疾病状態（この例においては、大動脈弁閉鎖不全）における模範的なメル−ケプストラム係数を示すグラフである。具体的には、図１４は、０〜５００Ｈｚの周波数範囲において判定されたメル−ケプストラム係数の大きさをプロットしたグラフである。図示のように、本技法は、低周波数（例えば、０〜１４０Ｈｚ）のサブ帯域には、線形スケールを利用しており、高周波数（例えば、１４０〜５００Ｈｚ）には、対数スケールを利用している。
【０１０２】
図１５は、大動脈弁閉鎖不全のメル−ケプストラム係数の大きさ対それぞれの周波数帯域におけるＦＦＴ値をプロットしたグラフである。
【０１０３】
図１６は、０〜５００Ｈｚの周波数範囲におけるメル−ケプストラム表現の知覚ピッチをプロットしたグラフである。
【０１０４】
図１７は、０〜５００Ｈｚの周波数範囲において模範的な疾病領域について判定されたメル−ケプストラム係数の大きさをプロットしたグラフである。
【０１０５】
以上、本発明の様々な実施例について説明した。例として、音響の記録を参照することにより、説明しているが、患者からのその他の電子的な記録に対して本技法を適用することも可能であろう。例えば、本技法は、患者から電子的に検知された心電図の記録に対して適用可能である。これら及びその他の実施例も、添付の請求項の範囲に属している。
【図面の簡単な説明】
【０１０６】
【図１】診断装置が本明細書に記述されている技法に従って聴診音を分析することによって患者の診断を実施する際に医師を支援する例示用のシステムを示すブロック図である。
【図２】本明細書に記述されている技法に従って診断装置として動作するＰＤＡ（Portable Digital Assistant）の模範的な実施例のブロック図である。
【図３】診断装置として動作する電子聴診器の模範的な実施例の透視図である。
【図４】本明細書に記述されている技法の概要を提供するフローチャートである。
【図５】特異値分解を臨床データに対して適用するパラメトリック分析段階を示すフローチャートである。
【図６】聴診音の記録の模範的な前処理を示すフローチャートである。
【図７】聴診音の記録の前処理の際におけるウェーブレット分析及びエネルギー閾値設定の例示用結果のグラフを示す図である。
【図８】聴診音の記録の模範的なデータ構造を示す図である。
【図９】診断装置がパラメトリック分析段階からの構成データを適用することによって患者の聴診音のデジタル化表現に対する推奨の診断を提供するリアルタイム診断段階を示すフローチャートである。
【図１０Ａ】大動脈弁狭窄のデータを正常なデータと比較することによって本技法の模範的な結果のグラフを示す図である。
【図１０Ｂ】大動脈弁狭窄のデータを正常なデータと比較することによって本技法の模範的な結果のグラフを示す図である。
【図１１Ａ】三尖弁逆流のデータを正常なデータと比較することによって本技法の模範的な結果のグラフを示す図である。
【図１１Ｂ】三尖弁逆流のデータを正常なデータと比較することによって本技法の模範的な結果のグラフを示す図である。
【図１２Ａ】大動脈弁狭窄のデータを三尖弁逆流のデータと比較することによって本技法の模範的な結果のグラフを示す図である。
【図１２Ｂ】大動脈弁狭窄のデータを三尖弁逆流のデータと比較することによって本技法の模範的な結果のグラフを示す図である。
【図１３】ＳＶＣを適用する前に音声認識法を使用して聴診音の記録を前処理する別の模範的な技法を示すフローチャートである。
【図１４】多次元空間内において疾病を演算するための音声認識法、並びに、特に、メル−ケプストラム係数の使用法の模範的なグラフを示す図である。
【図１５】多次元空間内において疾病を演算するための音声認識法、並びに、特に、メル−ケプストラム係数の使用法の模範的なグラフを示す図である。
【図１６】多次元空間内において疾病を演算するための音声認識法、並びに、特に、メル−ケプストラム係数の使用法の模範的なグラフを示す図である。
【図１７】多次元空間内において疾病を演算するための音声認識法、並びに、特に、メル−ケプストラム係数の使用法の模範的なグラフを示す図である。
【図１】
2008528124.tif 000009
【図２】
2008528124.tif 000010
【図３】
2008528124.tif 000011
【図４】
2008528124.tif 000012
【図５】
2008528124.tif 000013
【図６】
2008528124.tif 000014
【図７】
2008528124.tif 000015
【図８】
2008528124.tif 000016
【図９】
2008528124.tif 000017
【図１０Ａ】
2008528124.tif 000018
【図１０Ｂ】
2008528124.tif 000019
【図１１Ａ】
2008528124.tif 000020
【図１１Ｂ】
2008528124.tif 000021
【図１２Ａ】
2008528124.tif 000022
【図１２Ｂ】
2008528124.tif 000023
【図１３】
2008528124.tif 000024
【図１４】
2008528124.tif 000025
【図１５】
2008528124.tif 000026
【図１６】
2008528124.tif 000027
【図１７】
2008528124.tif 000028
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
既知の生理的状態と関連する聴診音に対する音声認識で使用される方法を適用することにより、音声認識係数を生成するステップと、
多次元空間内に定義された１つ又は複数の疾病領域を前記音声認識係数の関数として演算するステップと、
患者と関連する聴診音を表す前記多次元空間内における１つ又は複数のベクトルの組を生成するステップと、
前記患者の生理的状態と関連する診断メッセージを、前記音声認識係数および前記多次元空間内に定義された前記疾病領域の関数として出力するステップと、
を有する方法。
【請求項２】
音声認識方法を適用するステップは、
前記聴診音のそれぞれを複数のサブ帯域に分割するステップと、
前記音声認識係数を、前記サブ帯域のメル−ケプストラム係数として演算するステップと、
を有する請求項１記載の方法。
【請求項３】
前記係数のベクトルから前記多次元空間内において前記複数のベクトルを演算するステップと、
前記ベクトルのいずれが、その個別の疾病領域から最小距離を具備しているのかを識別するステップと、
前記識別されたベクトルと関連する前記疾病領域の１つを選択するステップと、
を更に有する請求項１記載の方法。
【請求項４】
前記多次元空間内のそれぞれの疾病領域は、前記個別の生理的状態のインジケータとして識別された前記既知の生理的状態と関連する前記聴診音の特性によって定義されている請求項１記載の方法。
【請求項５】
１つ又は複数の疾病領域を演算するステップは、
前記音声認識係数を保存する行列の組を生成するステップであって、それぞれの行列は、前記生理的状態の中の異なるものと関連付けられている、ステップと、
前記行列のそれぞれに対して特異値分解［ＳＶＤ］を適用することにより、前記多次元空間内の前記疾病領域を定義する部分行列の個別の組を演算するステップと、
を有する請求項１記載の方法。
【請求項６】
行列の組を生成するステップは、
フィルタリングされていない未加工のフォーマットにおいてデジタル化表現を保存するべく前記行列の組を生成するステップを有する請求項５記載の方法。
【請求項７】
前記行列の組から個別の平均ベクトルを演算するステップであって、それぞれの平均ベクトルは、前記個別の生理的状態と関連する前記聴診音の前記デジタル化表現の平均を表している、ステップと、
前記診断装置によって前記平均ベクトル及び前記構成データを前記患者と関連する前記聴診音に対して適用することにより、前記多次元空間内に前記ベクトルの組を生成するステップと、
を更に有する請求項５記載の方法。
【請求項８】
前記診断装置によって前記平均ベクトル及び前記構成データを適用するステップは、
前記患者と関連する前記聴診音を表すベクトルから前記対応する平均ベクトルを減算することにより、差分ベクトルの組を生成するステップであって、それぞれの差分ベクトルは、前記多次元空間内の前記疾病領域の中の異なるものに対応している、ステップと、
前記構成データの前記部分行列を前記差分ベクトルに対して適用することにより、前記患者と関連する前記聴診音を表す前記ベクトル表現を生成するステップと、
を有する請求項７記載の方法。
【請求項９】
前記構成データの前記部分行列を適用するステップは、前記差分ベクトルに対して前記Ｕ行列の中の対応するものを乗算することにより、前記患者に関連する前記聴診音を表す前記ベクトルの中の個別のものを生成するステップを有する請求項８記載の方法。
【請求項１０】
前記生理的状態は、心臓病の状態を有しており、前記患者と関連する前記聴診音は、心音又は肺音を有する請求項１記載の方法。
【請求項１１】
既知の生理的状態と関連する聴診音のデジタル化表現に対して音声認識方法を適用することによって生成された音声認識係数を有するデータを保存する媒体と、
患者と関連する聴診音を表すデジタル化表現に対して前記構成データを適用するように構成され、前記生理的状態の中の１つを選択する制御ユニットと、
を有し、
前記制御ユニットは、前記生理的状態の中の前記選択されたものについて通知する診断メッセージを出力する診断装置。
【請求項１２】
前記診断装置は、モバイル演算装置、ＰＤＡ、心エコー図分析器、及び電子聴診器の中の１つを有する請求項１１記載の診断装置。
【請求項１３】
既知の生理的状態と関連する電子的な記録のデジタル化表現に対して音声認識及び主成分分析［ＰＣＡ］を適用することにより、前記聴診音を多次元空間内の１つ又は複数の疾病領域の組に対してマッピングする分析モジュールと、
分析モジュールによって生成されたデータを保存するデータベースと、
を有するデータ分析システム。
【請求項１４】
生理的状態の組の中の１つを選択するために構成データを患者と関連する聴診音を表すデジタル化表現に対して適用する手順であって、音声認識方法及び主成分分析［ＰＣＡ］を使用し、前記聴診音を多次元空間内の１つ又は複数の疾病領域の組に対してマッピングすることによって適用する手順と、
前記生理的状態の中の前記選択されたものについて通知する診断メッセージを出力する手順と、
をプロセッサに実行させる命令を有するコンピュータ可読媒体。
【請求項１５】
前記構成データを前記患者と関連する前記聴診音を表す前記デジタル化表現に対して適用することにより、前記多次元空間内に１つ又は複数のベクトルの組を生成する手順と、
前記多次元空間内の前記疾病領域との関係における前記ベクトルの向きの関数として前記多次元空間の前記疾病領域の中の１つを選択する手順と、
前記選択結果に基づいて前記診断メッセージを出力する手順と、
をプロセッサに実行させる命令を更に有する請求項１４記載のコンピュータ可読媒体。
【手続補正２】
【補正対象書類名】明細書
【補正対象項目名】０００５
【補正方法】変更
【補正の内容】
【０００５】
本発明の第１の形態によれば、既知の生理的状態と関連する聴診音に対する音声認識で使用される方法を適用することにより、音声認識係数を生成するステップと、多次元空間内に定義された１つ又は複数の疾病領域を前記音声認識係数の関数として演算するステップと、患者と関連する聴診音を表す前記多次元空間内における１つ又は複数のベクトルの組を生成するステップと、前記患者の生理的状態と関連する診断メッセージを、前記音声認識係数および前記多次元空間内に定義された前記疾病領域の関数として出力するステップと、を有する方法が提供される。
本発明の第２の形態によれば、既知の生理的状態と関連する聴診音のデジタル化表現に対して音声認識方法を適用することによって生成された音声認識係数を有するデータを保存する媒体と、患者と関連する聴診音を表すデジタル化表現に対して前記構成データを適用するように構成され、前記生理的状態の中の１つを選択する制御ユニットと、を有し、前記制御ユニットは、前記生理的状態の中の前記選択されたものについて通知する診断メッセージを出力する診断装置が提供される。
本発明の第３の形態によれば、既知の生理的状態と関連する電子的な記録のデジタル化表現に対して音声認識及び主成分分析［ＰＣＡ］を適用することにより、前記聴診音を多次元空間内の１つ又は複数の疾病領域の組に対してマッピングする分析モジュールと、分析モジュールによって生成されたデータを保存するデータベースと、を有するデータ分析システムが提供される。
本発明の第４の形態によれば、生理的状態の組の中の１つを選択するために構成データを患者と関連する聴診音を表すデジタル化表現に対して適用する手順であって、音声認識方法及び主成分分析［ＰＣＡ］を使用し、前記聴診音を多次元空間内の１つ又は複数の疾病領域の組に対してマッピングすることによって適用する手順と、前記生理的状態の中の前記選択されたものについて通知する診断メッセージを出力する手順と、をプロセッサに実行させる命令を有するコンピュータ可読媒体が提供される。
一般に、本発明は、聴診音を分析することにより、患者の生理的状態を診断する際に医療専門家を支援する技法に関するものである。本技法は、例えば、様々な心臓病の状態を診断する際に医療専門家を支援するべく適用可能である。本明細書に記述されている技法を使用して自動的に検出可能である例示用の心臓病の状態には、大動脈弁閉鎖不全及び狭窄、三尖弁逆流及び狭窄、肺動脈弁狭窄及び逆流、僧帽弁逆流及び狭窄、大動脈瘤、頸動脈狭窄、及びその他の心臓病の病状が含まれる。本技法を聴診音に適用することにより、人工心臓弁に伴う問題及び心臓に関係していない生理的状態を検出可能である。例えば、本技法を適用して患者の肺、腹部、又はその他の領域から記録された音響を検出することにより、呼吸器又は胃腸の状態を検出可能である。
【手続補正３】
【補正対象書類名】明細書
【補正対象項目名】００４０
【補正方法】変更
【補正の内容】
【００４０】
データ分析システム４の分析モジュール１４は、本明細書に記述されている技法に従って臨床データ１２の心音の記録を分析することにより、その電子的に記録された心音を表す疾病領域の組を多次元空間内に定義している（５２）。多次元空間内のそれぞれの疾病領域は、個別の疾病を表すものと数学的に識別された心臓サイクル内の音響に対応している。分析モジュール１４は、分析の結果をパラメータデータベース１６内に保存している（５４）、具体的には、この結果は、患者の聴診音を生成された多次元空間に対してマッピングするべく診断装置６によって使用される構成データ１３を含んでいる。分析モジュール１４による臨床データ１２の処理が完了したら、診断装置６が、患者８の診断を支援するべく、構成データ１３を受信する（或いは、さもなければ、これを適用するべくプログラムされている）（５６）。従って、データ分析システムは、ＳＶＤを含む本明細書に記述されている技法を適用して既知の生理的状態を具備した患者からの記録された聴診音の代表的なサンプルセットを分析することにより、リアルタイム又は擬似リアルタイムで適用可能であるパラメータデータを生成しているものと見なすことができる。
【手続補正４】
【補正対象書類名】明細書
【補正対象項目名】００４３
【補正方法】変更
【補正の内容】
【００４３】
図６を参照して後程詳述するように、それぞれの心音の記録Ｒを前処理している（６２）。この前処理においては、分析モジュール１４は、ベクトルＲを処理することにより、それぞれの心臓サイクルの開始時点及び終了時点を識別している。更には、分析モジュール１４は、それぞれの心臓サイクル中の収縮期及び拡張期並びにＳ１及びＳ２期間の開始及び終了時点を識別している。これらの識別結果に基づいて、分析モジュール１４は、それぞれの心臓サイクルを共通の心拍数（例えば、７０拍動／分）に正規化している。換言すれば、分析モジュール１４は、定義された期間（例えば、約８５７ｍｓであり、これは、７０拍動／分の心拍数に対応している）に整合するように心臓サイクルと関連したデータを伸長又は圧縮するべく、それぞれの心臓サイクルに対応したデジタル化データをリサンプリング可能である。
【手続補正５】
【補正対象書類名】明細書
【補正対象項目名】００９４
【補正方法】変更
【補正の内容】
【００９４】
図１３は、聴診音の記録Ｒの前処理用の別の技法を示すフローチャートである。具体的には、図１３は、本明細書に記述されているＳＶＤプロセス又はその他の主成分分析法によって使用されるメル−ケプストラム係数を生成するための音声認識法の適用法を示している。図６との関係において説明した前処理法とは異なり、聴診音の記録Ｒに対して音声認識技術を適用することにより、聴診音の記録Ｒの心臓サイクルへの分離と、それぞれの心臓サイクルの（第１心音、収縮期部分、第２心音、及び拡張期部分からなる）４つの部分への更なる分離を実行する必要性を除去可能である。セグメント化は、演算集約的であり、且つ、時間を所要することになろう。
【国際調査報告】
2008528124.tif 000029
2008528124.tif 000030
2008528124.tif 000031
2008528124.tif 000032